(57)【要約】【課題】　　　　　　本願発明は、クランクケース底部に落下して溜った潤滑油を回収ポンプによりオイルクーラを経由して潤滑油タンクに送り、この潤滑油タンクからオイルフィルターを経由して内燃機関の各部に潤滑油を供給する内燃機関の潤滑装置を提供するものである。【解決手段】　　　　　内燃機関20の各部を潤滑してからクランクケース底部に落下して溜った潤滑油を、回収ポンプ61により、オイルクーラ14を経由して潤滑油タンク70に送る潤滑油回収油路85，61ｄ，61ｅ，21ａ，21ｂ，21ｃ，14，21ｇと、供給ポンプ62により、該潤滑油タンク70からオイルフィルタ64を経由して、潤滑や冷却を必要とする前記内燃機関各部28，57に潤滑油を供給する潤滑油供給油路67ｊ，62ｄ，62ｅ，21ｊ，65ａ，64，65ｂ，68ｂ，65ｆとを備えた内燃機関の潤滑装置において、オイルクーラ14から潤滑油タンク70へ通ずる前記潤滑油回収油路21ｇから分岐して前記内燃機関各部の少なくとも１個所に潤滑油を供給する分岐通路21ｉが形成されたことを特徴とする内燃機関の潤滑装置。【選択図】　　　　　図３４
2004132362.tif 000002
【特許請求の範囲】
【請求項１】
　内燃機関の各部を潤滑してからクランクケース底部に落下して溜った潤滑油を、回収ポンプにより、オイルクーラを経由して潤滑油タンクに送る潤滑油回収油路と、供給ポンプにより、該潤滑油タンクからオイルフィルタを経由して、潤滑や冷却を必要とする前記内燃機関各部に潤滑油を供給する潤滑油供給油路とを備えた内燃機関の潤滑装置において、
　オイルクーラから潤滑油タンクへ通ずる前記潤滑油回収油路から分岐して前記内燃機関各部の少なくとも１個所に潤滑油を供給する分岐通路が形成されたことを特徴とする内燃機関の潤滑装置。
【請求項２】
　前記分岐通路の下流端が、前記内燃機関の燃焼室周りの部分に連通したことを特徴とする請求項１記載の内燃機関の潤滑装置。
【請求項３】
　前記分岐通路の下流端が、前記内燃機関に付設された交流発電機の被冷却部分に連通したことを特徴とする請求項１記載の内燃機関の潤滑装置。
【発明の詳細な説明】
【技術分野】
【０００１】
　本願発明は、クランクケース底部に落下して溜った潤滑油を回収ポンプによりオイルクーラを経由して潤滑油タンクに送り、この潤滑油タンクからオイルフィルターを経由して内燃機関の各部に潤滑油を供給する内燃機関の潤滑装置に関するものである。
【背景技術】
【０００２】
　図３５に図示されるように、回収ポンプ01により、内燃機関各部02を潤滑してからクランクケース底部03に落下して溜った潤滑油をオイルクーラ04に通して冷却した後、潤滑油タンク05に送り、この潤滑油タンク05から供給ポンプ06によりオイルフィルター07を経由して、潤滑や冷却を必要とする内燃機関各部02に潤滑油を供給した内燃機関の潤滑装置（特許文献１参照）があった。
　図３５に図示の従来の内燃機関の潤滑装置では、供給ポンプ06のみでエンジン各部への潤滑油供給を行うため、供給ポンプの大型化が必要となる。また、シリンダヘッドの燃焼室周りや交流発電機など発熱量が多い部位を特に冷却したい場合は、供給ポンプ06やオイルクーラ04を大容量化して対応していた。
【０００３】
【特許文献１】特開２００１−７３７３６号（［発明の詳細な説明］の段落［００１８］および図４）
【発明の開示】
【発明が解決しようとする課題】
【０００４】
本願発明の目的は、供給ポンプやオイルクーラーの大容量化に、制限がある場合であっても、冷却効果を向上させることができる潤滑装置を提供することである。
【課題を解決するための手段】
【０００５】
　本願請求項１に係る発明は、内燃機関の各部を潤滑してからクランクケース底部に落下して溜った潤滑油を、回収ポンプにより、オイルクーラを経由して潤滑油タンクに送る潤滑油回収油路と、供給ポンプにより、該潤滑油タンクからオイルフィルタを経由して、潤滑や冷却を必要とする前記内燃機関各部に潤滑油を供給する潤滑油供給油路とを備えた内燃機関の潤滑装置において、オイルクーラから潤滑油タンクへ通ずる前記潤滑油回収油路から分岐して前記内燃機関各部の少なくとも１個所に潤滑油を供給する分岐通路が形成されたことを特徴とするものである。
【０００６】
　本願請求項２に係る発明は、前記分岐通路の下流端が、前記内燃機関の燃焼室周りの部分に連通したことを特徴とするものである。
【０００７】
　本願請求項３に係る発明は、前記分岐通路の下流端が、前記内燃機関に付設された交流発電機の被冷却部分に連通したことを特徴とするものである。
【発明の効果】
【０００８】
　請求項１に係る発明では、回収ポンプがエンジン各部への送油の一部をまかなうため、供給ポンプを小型化することができる。また、前記潤滑油回収油路から分岐して送油される潤滑油は、オイルクーラにて冷却された直後のものであるため、発熱量が多い部位の冷却や潤滑に適している。
【０００９】
　また、請求項２に係る発明では、前記分岐通路の下流端が燃焼室周りの部分に連通したため、前記オイルクーラで冷却された潤滑油がオイルフィルタに供給されないまま直接前記燃焼室周りの部分に供給される結果、該燃焼室周りが効率良く充分に冷却される。
【００１０】
　さらに、請求項３に係る発明では、前記分岐通路の下流端が交流発電機の被冷却部分に連通したため、前記オイルクーラで冷却された直後の潤滑油がオイルタンクを経由せずに前記交流発電機の被冷却部分に直接供給され、その結果、該交流発電機は効率良く充分に冷却される。
【発明を実施するための最良の形態】
【００１１】
　以下、図面に図示された本願発明に係る内燃機関付き車両用動力装置１の一実施形態について説明する。本実施形態において上下方向とは、車体上下方向を意味し、前方とは車体前方を意味し、後方とは車体後方を意味し、左右とは前方に向った姿勢における左右を意味している。
【００１２】
全体構造
　図１に図示されるように、前記内燃機関付き車両用動力装置１を搭載した荒地走行用４輪車０では、車体フレーム２の前後に、それぞれ左右１対の前輪３、後輪４が配設され、該内燃機関付き車両用動力装置１より前後方向に指向した伝動軸５の前後端は、図示されない差動装置および前車軸６、後車軸７を介して前記前輪３、後輪４にそれぞれ連結されており、内燃機関付き車両用動力装置１からの出力により、荒地走行用４輪車０は４輪駆動で走行しうるようになっている。
【００１３】
　また、前記荒地走行用４輪車０は、前方幅中央部にバーハンドル８を備え、該バーハンドル８に結合されたステアリングシャフト９の下端にステアリング機構10が設けられており、バーハンドル８の旋回操作が、ステアリングシャフト９およびステアリング機構10を介して前輪３に伝達され、荒地走行用４輪車０は、左右へ方向変更されるようになっている。
【００１４】
　さらに、内燃機関付き車両用動力装置１の上方に位置して車体フレーム２に燃料タンク11が据付けられるとともに、その後方にシート12が取付けられ、内燃機関付き車両用動力装置１の前方に、ファン13、オイルクーラ14が順次配設され、内燃機関付き車両用動力装置１の後方に気化器15およびエアクリーナ16が順次配設され、前記前車軸６、後車軸７はショックアブソーバ17を介して車体フレーム２に支持されている。
【００１５】
　さらにまた、内燃機関付き車両用動力装置１は、図２、図３および図４に図示されるように、４ストロークサイクル内燃機関20と、静油圧式無段変速機100と、変速駆動軸制御装置150とを備え、該４ストロークサイクル内燃機関20は、図１に図示されるように、シリンダ中心軸が前後に関しては鉛直上方に、図３に図示されるように、左右に関しては、車体後方から前方へ見て鉛直上方から僅かに左方に傾いた状態の頭上弁型プッシュロッド式単気筒の内燃機関であり、前記静油圧式無段変速機100は、図４、図５に図示されるように、斜板式油圧ポンプ110と斜板式油圧モータ130とが前後方向の同一軸線上に配置されて、前記４ストロークサイクル内燃機関20のクランク軸28からの回転速度を変速する変速機であり、前記変速駆動軸制御装置150は、前記斜板式油圧モータ130の斜板式油圧ポンプの斜板角度を変更する駆動部材152を往復動させる変速駆動軸151を有している。
【００１６】
　また、４ストロークサイクル内燃機関20では、図１および図４に図示されるように、クランクケースが、車幅方向に指向した垂直面を合わせ面として前後方向に亘って４個、すなわち前ケースカバー21、前クランクケース22、後クランクケース23、後ケースカバー24に分割されてなり、前後中央の前クランクケース22、後クランクケース23の上方にシリンダブロック25、シリンダヘッド26、ヘッドカバー27が順次重ねられ、これら前ケースカバー21、前クランクケース22、後クランクケース23、後ケースカバー24、シリンダブロック25、シリンダヘッド26、ヘッドカバー27は図示されないボルト等によって相互に一体的に結合されている。
【００１７】
　さらに、図３（以下図面中で多数の点が符されている部分は、他の部材との合わせ面を意味している）に図示されるように、前後方向に指向してクランク軸28が前クランクケース22、後クランクケース23に回転自在に枢支され（図４参照）、略上下方向に指向したシリンダブロック25のシリンダ孔29にピストン30が摺動自在に嵌装され、該ピストン30に挿入されたピストンピン30ａと、クランク軸28のクランクピン28ａとに連結杆31の上下端が回転自在に嵌合されており、シリンダ孔29とシリンダヘッド26とピストン30とで囲まれた燃焼室32内に吸入された混合気の燃焼で発生した燃焼ガスの圧力により、クランク軸28が回転駆動されるようになっている。
【００１８】
　さらに、シリンダヘッド26には、後方に開口する吸気ポート33と、前方に開口する排気ポート34とが形成され、該吸気ポート33、排気ポート34の燃焼室32側開口を開閉自在に閉塞する吸気弁35、排気弁36が設けられ、該吸気ポート33の後方開口部には、前記気化器15、エアクリーナ16（図１参照）が接続されるとともに、前記排気ポート34の前方開口部には、排気管18を介して図示されない排気浄化装置や消音器等が接続され、図３に図示されるように、点火栓39の電極部39ａが燃焼室32に臨むように点火栓39がシリンダヘッド26に螺着されている。
【００１９】
　そして、前記シリンダブロック25、シリンダヘッド26には、それぞれ冷却フィン37、冷却フィン38が形成されており、走行に伴なう走行風とファン13による冷却風とが該冷却フィン37、38に触れて、４ストロークサイクル内燃機関20が冷却されるとともに、後述するように、シリンダブロック25、シリンダヘッド26内を通過する冷却潤滑油によって４ストロークサイクル内燃機関20が冷却されるようになっている。
【００２０】
　さらにまた、図３に図示されるように、シリンダブロック25、シリンダヘッド26において、シリンダ孔29より右方に位置してシリンダ孔29と略平行に連通孔40が形成されるとともに、該連通孔40の直下に位置して前クランクケース22、後クランクケース23の頂壁に円形のガイド孔41が形成され、これら連通孔40、ガイド孔41の下方延長線に位置して、カム軸43が前クランクケース22、後クランクケース23の仕切壁67，71に設けられたカム軸枢支孔67ｃ，71ｃに回転自在に枢支され、前記ガイド孔41に摺動自在に嵌装されたバルブリフタ45は、カム軸43のカム44に当接され、シリンダブロック25、シリンダヘッド26、ヘッドカバー27間の当接面と平行でかつ左右方向に指向してシリンダヘッド26に揺動自在に前後１対のロッカアーム46が図４に図示のロッカシャフト42を介して枢支され、該ロッカアーム46の一端部とバルブリフタ45とにプッシュロッド47が介装され、該ロッカアーム46の他端部は前記吸気弁35、排気弁36の頂端に当接され、図４に図示されるように、前記吸気弁35、排気弁36は、その頂端に装着されたバルブスプリングリテーナ48とシリンダヘッド26のバネ受部26ａとにバルブスプリング49が介装され、クランク軸28に嵌着されたドライブスプロケット50（図４参照）と、前記カム軸43に嵌着されるとともに該ドライブスプロケット50の２倍の歯数を有する図示されないドリブンスプロケットとに、図示されないチェンが架渡されており、クランク軸28が回転すると、クランク軸28の２回転に対し１回転の割合でカム軸43が回転駆動され、吸気弁35および排気弁36は、通常の４ストロークサイクル内燃機関と同様なバルブタイミングで、クランク軸28の２回転に対応して１回ずつ開閉されるようになっている。
【００２１】
　また、図４に図示されるように、クランク軸28の後部には、ドライブスプロケット50の後方に位置してバランサー駆動歯車51がクランク軸28に一体に嵌着され、図３に図示されるように、該クランク軸28の右方に位置して前記バランサー駆動歯車51と噛み合うバランサー歯車52がバランサー軸53を介して前記前クランクケース22、後クランクケース23に枢支され、さらにバランサー駆動歯車51の後方に交流発電機であるＡＣＧ54が配設されて、該クランク軸28の後端部近傍に該ＡＣＧ54のロータ54ａが嵌着され、さらにその後方のクランク軸28の後端部には、リコイルスタータ55が設けられ、クランク軸28の前部には、ポンプ駆動歯車56が一体に嵌着されるとともに、該ポンプ駆動歯車56の前方に位置してクランク軸28の前端に発進クラッチ57が設けられている。
【００２２】
　さらに、図４に図示されるように、発進クラッチ57の出力部材であるクラッチアウタ57ａに駆動歯車58が一体に嵌着され、図３に図示されるように、前記クランク軸28よりやや上方で左方に位置して静油圧式無段変速機100が、図４に図示のように、前クランクケース22、後クランクケース23内に配設され、図５に図示のように、該静油圧式無段変速機100における斜板式油圧モータ130の油圧モータ回転軸131が、前ケースカバー21と後クランクケース23とに回転自在に枢支され、該油圧モータ回転軸131に斜板式油圧モータ130のモータケーシング132が回転自在に枢支され、該油圧モータ回転軸131に回転自在に枢支されている斜板式油圧ポンプ110のポンプケーシング111に従動力歯車101が一体に取り付けられ、図４に図示のように、該従動力歯車101は前記発進クラッチ57の駆動歯車58に噛合されており、発進クラッチ57の駆動歯車58が回転すると、静油圧式無段変速機100における斜板式油圧ポンプ110のポンプケーシング111が油圧モータ回転軸131を中心に回転駆動されるようになっている。
【００２３】
　そして、図４に図示されるように、歯車変速機160は後クランクケース23と後ケースカバー24とで囲まれた空間内に配設され、静油圧式無段変速機100の油圧モータ回転軸131に歯車変速機160のメイン軸161がスプライン嵌合され、図３に図示されるように、該メイン軸161に対し左下方向上に位置してカウンタ軸162が配置されるとともに、さらに、該カウンタ軸162およびメイン軸161に対し右下方向上に位置して出力軸163が配置され、これらメイン軸161、カウンタ軸162、出力軸163はそれぞれ後クランクケース23、後ケースカバー24に回転自在に枢支され、前記メイン軸161と一体のメイン歯車165に常時噛み合うカウンタ歯車166が前記カウンタ軸162に回転自在に嵌合され、該カウンタ軸162に相対的に回転できないが軸方向へ摺動しうるようにシフター167が嵌装され、該カウンタ軸162と一体のカウンタ出力歯車168と、出力軸163と一体の歯車169とが噛み合わされており、該シフター167が前記カウンタ歯車166に係合するように図示されない切換機構により前方へ摺動すると、カウンタ歯車166とカウンタ軸162とが連結されて、メイン軸161の回転力が出力軸163に伝達されるようになっている。
【００２４】
　しかも、図４に図示されるように、前記カウンタ軸162には、シフター167とカウンタ出力歯車168との間に位置してリバースカウンタ歯車170が回転自在に嵌装され、図３に図示されるように、メイン軸161とカウンタ軸162とに隣接してリバース軸164が後クランクケース23、後ケースカバー24（図４参照）に回転自在に枢支され、該リバース軸164と一体の一方の入力歯車171はメイン軸161のメイン歯車165に噛み合わされているとともに、該リバース軸164と一体の他方の出力歯車172はカウンタ軸162のリバースカウンタ歯車170に噛み合わされており、シフター167が後方へ摺動すると、カウンタ出力歯車168とカウンタ軸162とが連結されて、メイン軸161の回転力がリバース軸164、カウンタ軸162を介して出力軸163に逆回転状態で伝達されるようになっている。
【００２５】
　そして、出力軸163の前後両端は、内燃機関付き車両用動力装置１の前後に配設された伝動軸５に連結されており、出力軸163の回転力が伝動軸５および前車軸６、後車軸７を介して前輪３、後輪４に伝達されるようになっている。
【００２６】
　また、図３に図示されるように、静油圧式無段変速機100の上方向、左側に変速駆動軸制御装置150が配設され、該変速駆動軸制御装置150の変速駆動軸151の中心線と、静油圧式無段変速機100の油圧モータ回転軸131の中心線とを結んだ面と４ストロークサイクル内燃機関20のシリンダ孔29の中心線とのなす角αは、約１０°程度の極めて小さな鋭角になっている。
【００２７】
　さらに、図３、図４に図示されるように、変速駆動軸制御装置150の変速駆動軸151の長手方向中央部分には雄ネジが形成され、該雄ネジの変速駆動軸151に駆動部材152が螺合され、該駆動部材152は、図５に図示されるように、静油圧式無段変速機100における斜板式油圧モータ130のモータ斜板133より２叉状に突出したアーム部134にピン135を介して揺動自在に連結されている。図５に図示されるように、この変速駆動軸151と一体の歯車153は、減速歯車154の小歯車155に噛み合わされ、該減速歯車154の大歯車156は制御モータ157の回転軸158と一体のピニオン歯車159に噛み合わされており、該制御モータ157の正逆転により、前記駆動部材152が前後に駆動されて、斜板式油圧モータ130のモータケーシング132の傾斜角が制御されるようになっている。
【００２８】
　さらにまた、図３に図示されるように、変速駆動軸制御装置150の変速駆動軸151と斜板式油圧モータ130の油圧モータ回転軸131とを結ぶ面に対し直交した面に沿い斜板式油圧モータ30の左側に位置して変速レシオ検出センサ102が配設されている。
【００２９】
潤滑油ポンプ
　次に、潤滑油ポンプ60について説明する。
【００３０】
　前ケースカバー21、前クランクケース22の前方から後方へ向いて見た図６、図７および前後鉛直面に沿って裁断した図４に図示されるように、潤滑油ポンプ60の前後面が前ケースカバー21の後面と前クランクケース22の前面とにそれぞれ密接して、潤滑油ポンプ60は前ケースカバー21、前クランクケース22に一体に取り付けられ、図３２、図３３にて拡大して図示されるように、該潤滑油ポンプ60は、同一のポンプ回転軸63上に並んだトロコイド型の回収ポンプ61と供給ポンプ62とよりなり、該両回収ポンプ61、供給ポンプ62は、それぞれポンプ回転軸63に嵌着されたインナーロータ61ａ，62ａと、該インナーロータ61ａ，62ａに噛み合うアウタロータ61ｂ，62ｂと、該アウタロータ61ｂ，62ｂを回転自在に包持するポンプボディ61ｃ，62ｃとよりなり、アウタロータ61ｂ，62ｂは、インナーロータ61ａ，62ａに対して偏心するとともに、その歯数がインナーロータ61ａ，62ａよりも１枚多く形成されている。
【００３１】
　潤滑油ポンプ60のポンプ回転軸63に一体に嵌着されたポンプ歯車63ａは、図４に図示されるように、クランク軸28と一体のポンプ駆動歯車56に噛み合わされており、クランク軸28の回転に伴なってポンプ回転軸63は回転駆動され、回収ポンプ61では、吸入口61ｄから潤滑油が吸入されて吐出口61ｅから吐出され、供給ポンプ62では吸入口62ｄから潤滑油が吸入されて吐出口62ｅから吐出されるようになっている。
【００３２】
クランクケース
　４ストロークサイクル内燃機関20のクランクケースを構成する前ケースカバー21、前クランクケース22、後クランクケース23、後ケースカバー24の具体的構造を説明する。
【００３３】
　図４、図６に図示されるように、前ケースカバー21にはオイルフィルタ64のフィルタケース65が一体的に形成され、該フィルタケース65にフィルタエレメント66（図４参照）が内蔵されており、フィルタケース65の外周部の流入通路65ａからフィルタケース65内に流入した潤滑油がフィルタエレメント66にて濾過された後、その中心油路65ｂに排出されるようになっている。
【００３４】
　また、図７、図８に図示されるように、前クランクケース22には、前後幅方向略中央に、該前クランクケース22の前後合わせ面と平行な仕切壁67が一体的に形成され、該仕切壁67にクランク軸28を貫通するためのクランク軸孔67ａと、クランクケース内の左側に位置した静油圧式無段変速機100を遊嵌するための変速機遊嵌孔67ｂと、カム軸43を貫通支持するためのカム軸孔67ｃと、該カム軸孔67ｃの下方に位置したバランサー軸53を貫通支持するためのバランサ軸孔67ｄと、前記変速機遊嵌孔67ｂを挟んだ上下の位置に、変速駆動軸制御装置150の変速駆動軸151を貫通するための変速駆動軸孔67ｅと、出力軸163を貫通支持するための出力軸孔67ｆと、さらに、該カウンタ軸孔67ｆの下方に位置したクランク室連通孔67ｇと前記回収ポンプ61の吸入口61ｄに連通する回収ポンプ吸入連通孔67ｈと、前記供給ポンプ62の吸入口62ｄに連通する供給ポンプ吸入連通孔67ｉと、前記回収ポンプ吸入連通孔67ｈの直下から左方に亘ってストレーナ下方潤滑油溜め67ｊとが形成されている。
【００３５】
　さらに、図７に図示されるように、前クランクケース22において、該前クランクケース22の右側壁22ａ（図７では左側）に沿い所要間隔を存して仕切壁67より前方に突出したタンク仕切壁68が形成されるとともに、図８に図示されるように、該タンク仕切壁68とは位置を異にするが略これに沿って仕切壁67より後方に突出したタンク仕切壁69が形成され、これらタンク仕切壁68およびタンク仕切壁69でもってクランク室59およびオイルタンク室70が仕切られ、これらタンク仕切壁68、タンク仕切壁69より右外側に位置して仕切壁67にタンク連通孔67ｋ（４個所）が形成されている（仕切壁67にはこれ以外の孔はない）。
【００３６】
　さらにまた、仕切壁67より後方へ突出したタンク仕切壁69には、図８に図示されるように、クランク室59およびオイルタンク室70を仕切る部分より斜右上方（図８では斜左上方）に延長した延長部分69ａに切欠き69ｂが形成され、タンク仕切壁69の上面に溜った潤滑油が切欠き69ｂより下方へ流れて、ストレーナ下方潤滑油溜め67ｊに導かれるようになっている。
【００３７】
　前クランクケース22の下方両側部には、取り付け孔22ｂがそれぞれ形成されており、該取り付け孔22ｂと後クランクケース23の下方両側部の取付け孔23ｂとを貫通する図示されない棒状部材がゴムブッシュ（図示されず）を介して車体フレーム２に一体に取り付けられるようになっている。
【００３８】
　また、図９、図１０に図示されるように、後クランクケース23には、前クランクケース22と同様に、前後幅方向中央に、該後クランクケース23の前後合わせ面と平行な仕切壁71が一体的に形成され、該仕切壁71にクランク軸28を貫通するためのクランク軸孔71ａと、静油圧式無段変速機100における斜板式油圧モータ130の油圧モータ回転軸131を回転自在に枢支するための油圧モータ回転軸孔71ｂと、カム軸43を貫通支持するためのカム軸孔71ｃと、該カム軸孔71ｃの下方に位置したバランサー軸53を貫通支持するためのバランサ軸孔71ｄと、前記メイン軸161と出力軸163との中間でかつ左側に位置したカウンタ軸162を貫通支持するためのカウンタ軸孔71ｅと、前記油圧モータ回転軸孔71ｂの下方位置に、出力軸163を貫通支持するための出力軸孔71ｆと、該出力軸孔71ｆの斜右下方に位置したクランク室連通孔71ｇと、前記メイン軸161と出力軸163との中間でかつ右側に位置したリバース軸164を支持するためのリバース軸孔71ｍ（図１０のみ図示）とが形成されている。
【００３９】
　そして、図９に図示されるように、後クランクケース23には、前記クランクケース22のストレーナ下方潤滑油溜め67ｊに連通するストレーナ下方潤滑油溜め71ｊが形成されるとともに、該ストレーナ下方潤滑油溜め71ｊの上方に回収ポンプ吸入連通孔67ｈに連通する連通部71ｈが形成され、該ストレーナ下方潤滑油溜め71ｊと連通部71ｈとの間の両側切欠き71ｌにストレーナ85が嵌装されている。
【００４０】
　さらに、図９に図示されるように、後クランクケース23において、該後クランクケース23の右側壁23ａ（図９では左側）に沿い所要間隔を存して仕切壁71より前方へ突出したタンク仕切壁72（タンク仕切壁72の先端面が前記前クランクケース22のタンク仕切壁69の後端面に当接しうる）が形成されるとともに、図１０に図示されるように、該タンク仕切壁72とは位置を異にするが略これに沿って仕切壁71より後方へ突出したタンク仕切壁73が形成され、これらタンク仕切壁72、タンク仕切壁73でもってクランク室59およびオイルタンク室70が仕切られ、これらタンク仕切壁72、タンク仕切壁73より右外側に位置して仕切壁71にタンク連通孔71ｋ（６箇所）が形成され、図１０に図示されるように、タンク仕切壁73の上端部73ａは後クランクケース23の頂壁部23ｃに接続されず、離れており、タンク仕切壁73の上端部73ａと後クランクケース23の頂壁部23ｃとに間隙73ｂが形成されている。
【００４１】
　そして、仕切壁71より前方へ突出したタンク仕切壁72には、図９に図示されるように、斜右上方へ弯曲して延長した延長部分72ａに切欠き72ｂが形成されており、タンク仕切壁72の上面に溜った潤滑油が切欠き72ｂより下方へ流れて、ストレーナ下方潤滑油溜め71ｊに導かれるようになっている。
【００４２】
　さらにまた、図１０に図示されるように、後クランクケース23の後部では、仕切壁71の後面から後方へ突出した越流油路壁74が、後クランクケース23の頂壁部23ｃから下方へ垂下し、前記タンク仕切壁73に対し上方かつ左方に位置して所要の間隔を存するように形成され、該越流油路壁74の下方前端74ａは仕切壁71のクランク室連通孔71ｇ迄延長しており、タンク仕切壁73と越流油路壁74とで越流油路75が構成されている。
【００４３】
　そして、図３、図５に図示されるように、変速駆動軸制御装置150の変速駆動軸151の中心軸上にブリーザ室80が配置され、図５、図９、図２３および図２５に図示されるように、該ブリーザ室80に対応した後クランクケース23の左側上部（図９では右側上部）には、仕切壁71が存在せず、後クランクケース23の後方合わせ面に面一に一致したブリーザ室底壁76が形成され、前記ブリーザ室80を仕切るブリーザ仕切部77がブリーザ室底壁76より前方へ突設され、該ブリーザ仕切部77には図２５に図示されるように切欠き部77ａが形成されている。
【００４４】
　また、ブリーザ室底壁76の略中央部から前方へ突出した軸支部76ａにネジ孔76ｂが形成され、図５に図示される断面がＬ字状をなしたブリーザ蓋78の頂壁78ａの外周縁部78ｂが、図２３に図示されるように、後クランクケース23の左側頂壁23ｄの内周段部23ｅに当てがわれ、該ブリーザ蓋78の頂壁78ａの中央凹部78ｃに形成された孔を貫通したボルト79が軸支部76ａのネジ孔76ｂに螺着されており、後クランクケース23の左側頂壁23ｄ、ブリーザ室底壁76、ブリーザ仕切部77およびブリーザ蓋78の折曲壁78ｄでもってブリーザ室80が構成されるようになっている。
【００４５】
　さらに、ブリーザ室底壁76には開口76ｂが形成され、図５に図示されるように、該開口76ｂにブリーザパイプ81の一端が嵌着されており、該ブリーザパイプ81の他端は図示されないパイプ、ホース等で４ストロークサイクル内燃機関20の吸気系に接続されている。
【００４６】
　さらにまた、図１０に図示される後クランクケース23の仕切壁71より後方へ突出したタンク仕切壁73、越流油路壁74の後端面にその先端面が当接しうる図１１に図示のタンク仕切壁82、越流油路壁83が、図１１に図示されるように後ケースカバー24の前面に前方へ突出して形成されている。
【００４７】
　そして、後ケースカバー24には、ＡＣＧ54が嵌装しうる開口24ａが形成され、図１２に図示されるように、該開口24ａの外周後面には、ＡＣＧ54のケーシング54ｂが当接しうる当接部24ｂが形成されている。
【００４８】
シリンダブロック、シリンダヘッド
　図１３は、前クランクケース22の後面と後クランクケース23の前面とが重ね合わされた平面図であって、前クランクケース22、後クランクケース23に形成された開口22ｐ，23ｐに、図２６に図示のシリンダブロック25の連通孔40の開口25ｐが合致した状態で、前クランクケース22、後クランクケース23のシリンダブロック合せ面22ｘ，23ｘ上に、シリンダブロック25のシリンダ底部合せ面25ｘが重ねられ、前クランクケース22、後クランクケース23の頂壁の半円状切欠きでシリンダスリーブ挿入孔22ｒ，23ｒが形成され、該シリンダスリーブに挿入孔22ｒ，23ｒにシリンダブロック25のシリンダスリーブ25ｒ（図４参照）が嵌合されるようになっている。
【００４９】
　また、図２９は、シリンダブロック25の頂面図で、シリンダブロック25の連通孔40の開口25ｐに、図３０に図示のシリンダヘッド26の連通孔40の開口26ｐが合致した状態で、シリンダブロック25のシリンダヘッド合せ面25ｙ上に、シリンダヘッド26のシリンダヘッド底部合せ面26ｙが重ねられ、これらシリンダヘッド26、シリンダブロック25のボルト孔26ａ，25ａを貫通した図示されない４本のボルトの下端ネジが、図１３に図示の前クランクケース22、後クランクケース23のボルト孔22ｑ，23ｑに螺着されることによって、シリンダブロック25、シリンダヘッド26および前クランクケース22、後クランクケース23が相互に一体的に結合されている。
【００５０】
　さらに、図３に図示されるように、シリンダヘッド26の頂面にヘッドカバー27の外周面に当接され、図示されないボルト等でヘッドカバー27はシリンダヘッド26に一体に結合されている。
【００５１】
潤滑油回路
　図３４を参照して、本実施形態において、４ストロークサイクル内燃機関20内の潤滑油が内燃機関付き車両用動力装置１の各部にそれぞれ供給される潤滑油回路の概略について説明すると、回収ポンプ61の吸入口61ｄはストレーナ85を介してクランク室59に接続され、該回収ポンプ61の吐出口61ｅはオイルクーラ14の吸入口14ａに接続され、オイルクーラ14の吐出口14ｂは、ＡＣＧ54とシリンダブロック25、シリンダヘッド26とに接続されるとともに、オイルタンク室70に接続されている。
【００５２】
　また、オイルタンク室70の底部に供給ポンプ62の吸入口62ｄが接続され、該供給ポンプ62の吐出口62ｅはオイルフィルタ64の吸入口65ａに接続され、該オイルフィルタ64の吐出口65ｂは静油圧式無段変速機100と４ストロークサイクル内燃機関20と発進クラッチ57とにそれぞれ接続される。
【００５３】
　さらに、回収ポンプ61、供給ポンプ62の各吐出口61ｅ，62ｅはリリーフ弁86，87を介してクランク室59、オイルタンク室70にそれぞれ接続されている。
【００５４】
　次に、前ケースカバー21、前クランクケース22、後クランクケース23、後ケースカバー24内に一体的に構成されるクランク室59とオイルタンク室70とは、前クランクケース22の仕切壁67で前後に仕切られた前方部分では、図７に図示の前クランクケース22のタンク仕切壁68と、前ケースカバー21にてタンク仕切壁68に対応して形成されたタンク仕切壁89とで左右に仕切られ、前クランクケース22の仕切壁67と後クランクケース23の仕切壁71とに挟まれた前後中央部分では、図８に図示の前クランクケース22のタンク仕切壁69と、図９に図示の後クランクケース23のタンク仕切壁72とで左右に仕切られ、後クランクケース23の仕切壁71で前後に仕切られた後方部分では、図１０に図示のタンク仕切壁73と、図１１に図示のタンク仕切壁82とで左右に仕切られている。
【００５５】
　また、前方部分のクランク室59と前後中央部分のクランク室59とは、図７、図８に図示されるように、前クランクケース22の仕切壁67に形成されているクランク室連通孔67ｇおよびストレーナ下方潤滑油溜め67ｊでもって相互に連通され、前後中央部分のクランク室59と後方部分のクランク室59とは、図９、図１０に図示されるように、後クランクケース23の仕切壁71に形成されているクランク室連通孔71ｇとストレーナ下方潤滑油溜め71ｊでもって相互に連通されている。
【００５６】
　さらに、前方部分のオイルタンク室70と前後中央部分のオイルタンク室70とは、図７、図８に図示されるように、前クランクケース22の仕切壁67に形成されているタンク連通孔67ｋ（４個所）でもって相互に連通され、前後中央部分のオイルタンク室70と後方部分のオイルタンク室70とは、図９、図１０に図示されるように、後クランクケース23の仕切壁71に形成されているタンク連通孔71ｋ（６個所）でもって相互に連通されている。
【００５７】
　図３４に図示された潤滑油回路に即して、前ケースカバー21、前クランクケース22、後クランクケース23、後ケースカバー24、シリンダブロック25およびシリンダヘッド26内に形成された油路を具体的に説明する。
【００５８】
　回収ポンプ61の吸入口61ｄは、図６、図７に図示されるように、前クランクケース22の回収ポンプ吸入連通孔67ｈに接続されており、潤滑油ポンプ60の回転軸63が回転駆動されると、ストレーナ下方潤滑油溜め67ｊ，71ｊに溜められた潤滑油は、図９に図示されるようにストレーナ85で濾過された後、後クランクケース23の連通部71ｈから前クランクケース22の回収ポンプ吸入連通孔67ｈを経由して回収ポンプ61の吸入口61ｄに流入されるようになっている。
【００５９】
　また、回収ポンプ61の吐出口61ｅは、図６、図１４に図示されるように、前ケースカバー21の後方の開口21ａに接続され、該開口21ａは前方に指向した連通路21ｂを介して前端開口21ｃに連通され、該開口21ｃとオイルクーラ14の流入口14ａとは図示されないホース、パイプ等で接続されており、回収ポンプ61の吐出口61ｅより吐出された潤滑油はオイルクーラ14に送られるようになっている。そして、図１４に図示されるように、連通路21ｂから分岐路21ｄが岐出され、該分岐路21ｄにリリーフ弁86が介装されており、連通路21ｂ内の潤滑油圧力が所定の設定圧力以上に高圧になると、リリーフ弁86が動作して、分岐路21ｄから開口21ｅを介してクランク室59内に戻るようになっている。
【００６０】
　さらに、オイルクーラ14の吐出口14ｂは、図示されないホース、パイプ等を介して図６に図示の前ケースカバー21の返戻口21ｆに接続され、該返戻口21ｆは、図１５に図示されるように、連通路21ｇを介して開口21ｈに連通されるとともに絞り21ｉを介してオイルタンク室70に連通されている。
【００６１】
　さらにまた、図６、図７に図示されるように、前ケースカバー21の開口21ｈと前クランクケース22の開口22ｈとは相互に合致し、図２０に図示されるように、該開口22ｈは連通路22ｉを介して開口22ｊに連通されている。
【００６２】
　そして、図１３に図示されるように、前クランクケース22のシリンダブロック合せ面22ｘに開口した開口22ｊは、図２６に図示のシリンダブロック25のシリンダ底部合せ面25ｘの開口25ｊに合致し、図２７に図示されるように、該開口25ｊは垂直連通路25ｋを介してシリンダブロック25のシリンダヘッド合わせ面25ｙの開口25ｌに連通され、図２９および図３０に図示されるように、該シリンダブロック25の開口25ｌはシリンダヘッド26の連通路26ｌに合致し、該連通路26ｌの上端は、ヘッドカバー27で囲まれた空間内に露出している。
【００６３】
　また、図２６、図２７に図示されるように、垂直連通路25ｋと平行な垂直連通路25ｎは前後方向の連通路25ｍで相互に連通され、該垂直連通路25ｎの上端開口25ｏは、シリンダヘッド26の開口26ｏに合致し、該開口26ｏの上端もヘッドカバー27で囲まれた空間内に露出している。
【００６４】
　さらに、図２７に図示のシリンダブロック25の垂直連通路25ｎの下端開口25ｓは、図１３に図示の後クランクケース23の開口23ｓに連通し、図２２に図示されるように、該開口23ｓは、連通路23ｔを介して開口23ｕに連通され、該後クランクケース23の開口23ｕは、図１１に図示の後ケースカバー24の開口24ｕに連通され、該24ｕは図２４に図示されるように、連通路24ｖを介して開口24ｗに連通され、該後ケースカバー24の開口24ｗは、ＡＣＧ54のカバ54ｂ（図４参照）に設けられた図示されないＡＣＧ潤滑油噴出口に連通されている。
【００６５】
　前述したように、回収ポンプ61により、オイルクーラ14に送られて該オイルクーラ14で冷却された潤滑油は、図１５に図示の前ケースカバー21の返戻口21ｆに送られて連通路21ｇを通過し、絞り21ｉを介してオイルタンク室70に噴出され、オイルタンク室70内に溜められる。そしてオイルタンク室70内に溜められた冷却潤滑油は、該オイルタンク室70に開口した供給ポンプ吸入連通孔67ｉより供給ポンプ62の吸入口62ｄに吸入され、該供給ポンプ62で加圧された圧力潤滑油は供給ポンプ62の吐出口62ｅから、図１６に図示されるように、前ケースカバー21の吐出口21ｊに送られるようになっている。
【００６６】
　図１６に図示の前ケースカバー21の吐出口21ｊは、オイルフィルタ64のフィルタケース65の流入路65ａに接続され、図４、図１９に図示されるように、該フィルタケース65の吐出路65ｂは、静油圧式無段変速機100の油圧モータ回転軸131の中心孔131ａに接続されるとともに、図４、図１９に図示の絞り65ｃを介してクランク軸28の中心孔68ｂに接続され、図４に図示されるように、該中心孔68ｂはクラッチ連通孔68ｃに連通されており、オイルフィルタ64で濾過された冷却潤滑油は静油圧式無段変速機100、クランク軸28に供給されるようになっている。
【００６７】
　また、図１７に図示されるように、前ケースカバー21では、フィルタケース65のフィルタ室とクランク室59（図面で左側）とを連通する連通路65ｄにリリーフ弁87が介装され、図１８に図示されるように、フィルタケース65の吐出路65ｂより岐出路65ｅが岐出され、該岐出路65ｅにチェックバルブ88が介装されるとともに、該岐出路65ｅからクランク室59内の発進クラッチ57に向って潤滑油噴出口65ｆが形成されており、フィルタケース65のフィルタ室内の圧力が所定値を越えると、リリーフ弁87から潤滑油がクランク室59へ吐出され、また、フィルタケース65の吐出路65ｂ内の潤滑油圧力が所定値を越えると、チェックバルブ88からクランク室59へ潤滑油が吐出され、さらに、フィルタケース65の吐出路65ｂ内の潤滑油は潤滑油噴出口65ｆから発進クラッチ57に向って噴出されるようになっている。
【００６８】
　図示の実施形態は、前述したように構成されているので、シフター167を前方へ移動させてカウンタ歯車166とカウンタ軸162とを連結した状態において、リコイルスタータ55を操作することにより、４ストロークサイクル内燃機関20を始動させると、４ストロークサイクル内燃機関20は運転状態となり、クランク軸28の回転数が所定回転数を越えると、発進クラッチ57が連結状態となり、静油圧式無段変速機100のポンプケーシング111が回転駆動される。
【００６９】
　変速駆動軸制御装置150における駆動部材152の軸方向位置に対応して設定された斜板式油圧モータ130のモータ斜板133の傾斜角度の大小に応じて油圧モータ回転軸131が所要の変速レシオで回転駆動され、歯車変速機160にて所定の変速比にカウンタ軸162が減速され、出力軸163から前後の伝動軸５および前車軸６、後車軸７を介して前輪３、後輪４にそれぞれ動力が伝達され、荒地走行用４輪車０は前進することができる。
【００７０】
　また、図３に図示されるように、静油圧式無段変速機100の斜板式油圧ポンプ110、斜板式油圧モータ130の中心線上の油圧モータ回転軸131と変速駆動軸制御装置150の変動駆動軸151とを結ぶ面がシリンダ孔29の中心線となす角αが、約１０°と狭く、かつ４ストロークサイクル内燃機関20の左側において、静油圧式無段変速機100、変速駆動軸制御装置150とが４ストロークサイクル内燃機関20に接近して配置されているため、内燃機関付き車両用動力装置１の幅方向寸法が短かくてコンパクトとなり、従って荒地走行用４輪車０への搭載性が頗る良好である。
【００７１】
　さらに、変速レシオ検出センサ102が静油圧式無段変速機100の左方外側に配置されているため、荒地走行用４輪車０の左方から変速レシオ検出センサ102の保守・点検・整備を容易に遂行することができる。
【００７２】
　さらにまた、ブリーザ室80は、クランク室59の左側上方に位置して変速駆動軸制御装置150の変速駆動軸151の延長線上に配置され、その下方に静油圧式無段変速機100が配置されているため、クランク軸28や歯車変速機160の各メイン歯車165、カウンタ歯車166、シフター167、カウンタ出力歯車168、歯車169から飛散した潤滑油滴は、前記静油圧式無段変速機100に遮ぎられて、クランク室59の左側上方迄達することが阻止され、オイルミスト混入率の少ないブローバイガスがブリーザ室80に導入される結果、ブリーザ室80が小容量で足り、しかも構造が簡略化される。
【００７３】
　しかも、クランク軸28が車体前後方向に指向しているため、ＡＣＧ54、リコイルスタータ55、発進クラッチ57、歯車変速機160が車両前後方向に配置されることとなり、前述のシリンダ孔29の中心軸の近くに静油圧式無段変速機100、変速駆動軸制御装置150が配置されることと相俟って、内燃機関付き車両用動力装置１がさらに小型化され、荒地走行用４輪車０の搭載性が一段と改善される。
【００７４】
　また、図３に図示されるように、静油圧式無段変速機100は、前ケースカバー21、前クランクケース22、後クランクケース23、後ケースカバー24よりなるクランクケース内空間の左側に配置され、オイルタンク室70は該クランクケース内空間の右側に配置されているため、静油圧式無段変速機100とオイルタンク室70内の潤滑油の重量とで内燃機関付き車両用動力装置１の左右重量バランスが取り易い。
【００７５】
　さらに、図６に図示されるように、前ケースカバー21の内壁面からタンク仕切壁89が突出して一体的に形成され、図７、図８に図示されるように、前クランクケース22の仕切壁67から前後方向へタンク仕切壁68、タンク仕切壁69が突出して一体的に形成され、図９、図１０に図示されるように、後クランクケース23の仕切壁71から前後方向へタンク仕切壁72、タンク仕切壁73が突出して一体的に形成され、図１１に図示されるように、後ケースカバー24の内壁面からタンク仕切壁82が後方へ突出して一体的に形成されているため、オイルタンク室70を構成するための特別の部品を必要とせず、重量および工数が削減されて、クランクケースの軽量化とコストダウンと剛性向上が可能となる。
【００７６】
　さらにまた、前クランクケース22の仕切壁67より後方へ突出したタンク仕切壁69（図８参照）と後クランクケース23の仕切壁71より前方へ突出したタンク仕切壁72（図９参照）とで、前クランクケース22、後クランクケース23間にオイルタンク室70が形成されるだけでなく、前ケースカバー21の内壁面から後方へ突出したタンク仕切壁89（図６参照）と前クランクケース22の仕切壁67より前方へ突出したタンク仕切壁68（図７参照）とで、前ケースカバー21、前クランクケース22間にオイルタンク室70が形成され、かつ、後クランクケース23の仕切壁71より後方へ突出したタンク仕切壁73（図１０参照）と後ケースカバー24の内壁面から前方へ突出したタンク仕切壁82（図１１参照）とで後クランクケース23、後ケースカバー24間にオイルタンク室70が形成されるため、オイルタンク室70の容量は頗る大きい。
【００７７】
　しかも、前ケースカバー21、前クランクケース22、後クランクケース23、後ケースカバー24を、ダイキャストや鋳造により製造することができるので、さらなる生産性向上とコストダウンを図ることができる。
【００７８】
　また、クランクケース内の底部のストレーナ下方潤滑油溜め67ｊ，71ｊに溜った潤滑油をオイルタンク室70に送る回収ポンプ61と、オイルタンク室70から４ストロークサイクル内燃機関20のクランク軸28、発進クラッチ57や静油圧式無段変速機100に潤滑油を送る供給ポンプ62とが同軸上に配置されているため、回収ポンプ61、供給ポンプ62よりなる潤滑油ポンプ60の全体寸法が短縮化されて、潤滑油ポンプ60の小型軽量化が可能となり、しかも、回収ポンプ61、供給ポンプ62間の油路や、潤滑油ポンプ60、オイルタンク室70間の油路が短かくなって、潤滑油ポンプ60のポンプ損失が小さくなる。
【００７９】
　さらに、オイルタンク室70から４ストロークサイクル内燃機関20の各部および静油圧式無段変速機100に供給される潤滑油を濾過するオイルフィルタ64のフィルタケース65が、オイルタンク室70の前方で、かつ車両前後方向から見てオイルタンク室70と重なる位置に配置されているため、オイルタンク室70とオイルフィルタ64とが接近し、オイルフィルタ64内の潤滑油が、該オイルフィルタ64の連通路65ｄに介装のリリーフ弁87を介してオイルタンク室70に直ちに還流し、供給ポンプ62のポンプ損失が低い。
【００８０】
　さらにまた、オイルフィルタ64が前ケースカバー21の前方に位置しているため、図４に図示されるように、オイルフィルタ64の蓋64ａを荒地走行用４輪車０の前方から容易に取り外すことができ、フィルタエレメント66の交換を簡単に行なうことができるとともに、オイルフィルタ64の保守・点検・整備を短時間内に楽に遂行することができる。
【００８１】
　また、回収ポンプ61が、シリンダブロック25、シリンダヘッド26、ＡＣＧ54への送油をまかなうため、供給ポンプ62を小型化できる。さらに潤滑油回収油路21ｂ、21ｃ、21ｆ、21ｇから分岐して油路21ｈ、22ｈ、22ｉ、22ｊ、25ｊ、25ｋ、25ｌ、26ｌに送油される潤滑油は、オイルクーラ14にて冷却された直後のものであるため、発熱量の多い部分の冷却や潤滑に適している。
【００８２】
　そして、回収ポンプ61により、オイルクーラ14に送られて該オイルクーラ14で冷却された潤滑油は、図１５に図示されるように、前ケースカバー21の返戻口21ｆから連通路21ｇを介して開口21ｈに達し、図２０に図示される前クランクケース22の開口22ｈから連通路22ｉを介して開口22ｊに送られ、図１３および図２６、図２７に図示されるように、前クランクケース22の開口22ｊからシリンダブロック25の底面開口25ｊ、垂直連通路25ｋを介してシリンダブロック25の頂面開口25ｌに送られ、さらに図２９、図３０および図３１に図示されるように、シリンダヘッド26の頂面開口26ｌに達し、該頂面開口26ｌよりシリンダヘッド26の頂面に潤滑油が流れ出し、シリンダヘッド26から連通孔40を介しクランク室59に落下して還流することにより、シリンダブロック25、シリンダヘッド26が冷却される。
【００８３】
　また、図２７に図示されるように、垂直連通路25ｋから連通路25ｍが岐出されているので、垂直連通路25ｋを上昇した潤滑油の一部は連通路25ｍより垂直連通路25ｎに達し、該垂直連通路25ｎの上方部分を流れる潤滑油は、前述した頂面開口26ｌを流れた潤滑油と同様に頂面開口26ｏよりシリンダヘッド26の頂面に流れ出して、連通孔40を介してクランク室59に落下し、シリンダブロック25、シリンダヘッド26が冷却される。
【００８４】
　さらに、垂直連通路25ｎの下方部分を流れる潤滑油は、シリンダブロック25の底面開口25ｓから後クランクケース23の開口23ｓに達し、図２２に図示の連通路23ｔを介して開口23ｕに送られ、該開口23ｕから図２４に図示の後ケースカバー24の開口24ｕから連通路24ｖを介して開口24ｗに送られた後、ＡＣＧ54の潤滑油噴出口より噴出されてＡＣＧ54が冷却される。
【００８５】
　さらに、クランク室59から吸上げられて回収ポンプ61によりオイルクーラ14に供給され、該オイルクーラ14にて冷却された冷却潤滑油はオイルフィルタ64に供給されず、直接シリンダブロック25、シリンダヘッド26に供給されるため、シリンダブロック25、シリンダヘッド26は、ファン13によって後方へ送風された冷却風や走行に伴なう走行風が冷却フィン37、冷却フィン38に触れることによる空気冷却のみならず、シリンダブロック25、シリンダヘッド26内を通過する冷却潤滑油による潤滑油冷却される結果、シリンダブロック25、シリンダヘッド26ひいては、燃焼室32の周辺部分が充分に冷却される。
【００８６】
　さらにまた、オイルクーラ14でもって冷却された潤滑油も、オイルタンク室70を経由せずに、リコイルスタータ54に供給されるため、リコイルスタータ54も充分に冷却される。
【００８７】
　また、図６に図示の前ケースカバー21の内壁面から後方へ突設されたタンク仕切壁89と、図７に図示の前クランクケース22の仕切壁67から前方へ突設されたタンク仕切壁68との上端縁89ａ，68ａよりも、図１０に図示の仕切壁71から後方へ突設されたタンク仕切壁73と、図１１に図示の内壁面から前方へ突設されたタンク仕切壁82との上端縁73ａ，82ａが下方に位置し、さらに、前クランクケース22の仕切壁67にタンク連通孔67ｋが形成されるとともに、後クランクケース23の仕切壁71にタンク連通孔71ｋが形成されているため、オイルタンク室70内の潤滑油の油面は全て同一の高さに保持されるとともに、オイルタンク室70内の潤滑油は、高さの低いタンク仕切壁73、タンク仕切壁82の上端縁73ａ，82ａより越流油路75、越流油路84内に全て静かに流入することができる。この結果、クランク室59内で潤滑油がクランク軸28に掻き回わされることが阻止され、動力損失や、潤滑油のミスト発生が回避され、しかも、クランク室59の底部のストレーナ下方潤滑油溜め67ｊ，71ｊに滑らかにかつ静かに導かれて、気泡発生も抑制される。
【００８８】
　さらに、図１０、図１１に図示されるように、後クランクケース23、後ケースカバー24とそれぞれ一体的に形成されるタンク仕切壁73、タンク仕切壁82と、越流油路壁74、83とで越流油路75、84が構成されるため、越流油路75、84は、構造が極めて単純化され、コストアップが避けられる。
【００８９】
　さらにまた、後クランクケース23、後ケースカバー24間におけるオイルタンク室70は、後クランクケース23の右側壁23ａ（後ケースカバー24の右側壁には符号を付していない）に沿って三日月状に形成されているため、タンク仕切壁73、タンク仕切壁82および越流油路壁74、83もこれに近い形状に形成され、オイルタンク室70の仕切壁上縁73ａ，82ａを越流した潤滑油は、乱れを起さずにクランク室59の底部のストレーナ下方潤滑油溜め67ｊ，71ｊに導かれる。
【図面の簡単な説明】
【００９０】
【図１】本願発明に係る内燃機関付き車両用動力装置を搭載した荒地走行用車両の側面図である。
【図２】図１に図示の内燃機関付き車両用動力装置を前方から見た正面図である。
【図３】図１のIII−III線に沿って裁断した内燃機関付き車両用動力装置の横断面図である。
【図４】図１に図示の内燃機関付き車両用動力装置の縦断面図である。
【図５】静油圧式無段変速機の縦断面図である。
【図６】前ケースカバーの前面図である。
【図７】前クランクケースの前面図である。
【図８】前クランクケースの後面図である。
【図９】後クランクケースの前面図である。
【図１０】後クランクケースの後面図である。
【図１１】後ケースカバーの前面図である。
【図１２】後ケースカバーの後面図である。
【図１３】前クランクケースと後クランクケースとを合わせた平面図である。
【図１４】図６のXIV−XIV線に沿って裁断した断面図である。
【図１５】図６のXV−XV線に沿って裁断した断面図である。
【図１６】図６のXVI−XVI線に沿って裁断した断面図である。
【図１７】図６のXVII−XVII線に沿って裁断した断面図である。
【図１８】図６のXVIII−XVIII線に沿って裁断した断面図である。
【図１９】図６のXIX−XIX線に沿って裁断した断面図である。
【図２０】図７のXX−XX線に沿って裁断した断面図である。
【図２１】図７のXXI−XXI線に沿って裁断した断面図である。
【図２２】図９の要部拡大図である。
【図２３】図１０のXXIII−XXIII線に沿って裁断した断面図である。
【図２４】図１２のXXIV−XXIV線に沿って裁断した断面図である。
【図２５】図２２のXXV−XXV線に沿って裁断した断面図である。
【図２６】シリンダブロックの底面形状を上方から見た平面図である。
【図２７】図２６のXXVII−XXVII線に沿って裁断した断面図である。
【図２８】図２７のXXVIII−XXVIII線に沿って裁断した断面図である。
【図２９】シリンダブロックの頂面図である。
【図３０】シリンダヘッドの底面形状を上方から見た平面図である。
【図３１】シリンダヘッドの頂面図である。
【図３２】潤滑油ポンプの正面図である。
【図３３】図３２のXXXIII−XXXIII線に沿って裁断した断面図である。
【図３４】本願発明の潤滑油回路の概略を図示した説明図である。
【図３５】従来の潤滑油回路の概略を図示した説明図である。
【符号の説明】
【００９１】
　０…荒地走行用４輪車、１…内燃機関付き車両用動力装置、２…車体フレーム、３…前輪、４…後輪、５…伝動軸、６…前車軸、７…後車軸、８…バーハンドル、９…ステアリングシャフト、10…ステアリング機構、11…燃料タンク、12…シート、13…ファン、14…オイルクーラ、15…気化器、16…エアクリーナ、17…ショックアブソーバ、18…排気管、　20…４ストロークサイクル内燃機関、21…前ケースカバー、22…前クランクケース、23…後クランクケース、24…後ケースカバー、25…シリンダブロック、26…シリンダヘッド、27…ヘッドカバー、28…クランク軸、29…シリンダ孔、30…ピストン、31…連結杆、32…燃焼室、33…吸気ポート、34…排気ポート、35…吸気弁、36…排気弁、37…冷却フィン、38…冷却フィン、39…点火栓、40…連通孔、41…ガイド孔、42…ロッカシャフト、43…カム軸、44…カム、45…バルブリフタ、46…ロッカアーム、47…プッシュロッド、48…バルブスプリングリテーナ、49…バルブスプリング、50…ドライブスプロケット、51…バランサー駆動歯車、52…バランサー歯車、53…バランサー軸、54…ＡＣＧ、55…リコイルスタータ、56…ポンプ駆動歯車、57…発進クラッチ、58…駆動歯車、59…クランク室、60…潤滑油ポンプ、61…回収ポンプ、62…供給ポンプ、63…ポンプ回転軸、64…オイルフィルタ、65…フィルタケース、66…フィルタエレメント、67…仕切壁、68…タンク仕切壁、69…タンク仕切壁、70…オイルタンク室、71…仕切壁、72…タンク仕切壁、73…タンク仕切壁、74…越流油路壁、75…越流油路、76…ブリーザ室底壁、77…ブリーザ仕切部、78…ブリーザ蓋、79…ボルト、80…ブリーザ室、81…ブリーザパイプ、82…タンク仕切壁、83…越流油路壁、84…越流油路、85…ストレーナ、86…リリーフ弁、87…リリーフ弁、88…チェックバルブ、89…タンク仕切壁、
　100…静油圧式無段変速機、101…従動力歯車、102…変速レシオ検出センサ、
　110…斜板式油圧ポンプ、111…ポンプケーシング、
　130…斜板式油圧モータ、131…油圧モータ回転軸、132…モータケーシング、133…モータ斜板、134…アーム部、135…ピン、
　150…変速駆動軸制御装置、151…変速駆動軸、152…駆動部材、153…歯車、154…減速歯車、155…小歯車、156…大歯車、157…制御モータ、158…回転軸、159…ピニオン歯車、
　160…歯車変速機、161…メイン軸、162…カウンタ軸、163…出力軸、164…リ
バース軸、165…メイン歯車、166…カウンタ歯車、167…シフター、168…カウンタ出力歯車、169…歯車、170…リバースカウンタ歯車、171…入力歯車、172…出力歯車。
【図１】
2004132362.tif 000003
【図２】
2004132362.tif 000004
【図３】
2004132362.tif 000005
【図４】
2004132362.tif 000006
【図５】
2004132362.tif 000007
【図６】
2004132362.tif 000008
【図７】
2004132362.tif 000009
【図８】
2004132362.tif 000010
【図９】
2004132362.tif 000011
【図１０】
2004132362.tif 000012
【図１１】
2004132362.tif 000013
【図１２】
2004132362.tif 000014
【図１３】
2004132362.tif 000015
【図１４】
2004132362.tif 000016
【図１５】
2004132362.tif 000017
【図１６】
2004132362.tif 000018
【図１７】
2004132362.tif 000019
【図１８】
2004132362.tif 000020
【図１９】
2004132362.tif 000021
【図２０】
2004132362.tif 000022
【図２１】
2004132362.tif 000023
【図２２】
2004132362.tif 000024
【図２３】
2004132362.tif 000025
【図２４】
2004132362.tif 000026
【図２５】
2004132362.tif 000027
【図２６】
2004132362.tif 000028
【図２７】
2004132362.tif 000029
【図２８】
2004132362.tif 000030
【図２９】
2004132362.tif 000031
【図３０】
2004132362.tif 000032
【図３１】
2004132362.tif 000033
【図３２】
2004132362.tif 000034
【図３３】
2004132362.tif 000035
【図３４】
2004132362.tif 000036
【図３５】
2004132362.tif 000037